(57)【要約】コンベヤフレーム及びストリンガを備えたベルトコンベヤを取り付けるためのベルトスクレーパ実装装置であって、スクレーパブレードモジュールアセンブリと、スクレーパブレードモジュールアセンブリを保持する保持手段とを備え、スクレーパブレードモジュールは、ベルトスクレーパの両側に配置されたコンベヤフレームとストリンガとともに組立てられ、保持手段は、自動調節モードでの作動に適合していることを特徴とする改良されたベルトスクレーパ実装装置。
2015506321.tif 000002
【特許請求の範囲】
【請求項１】
コンベヤフレーム及びストリンガを備えたベルトコンベヤを取り付けるためのベルトスクレーパ実装装置であって、
スクレーパブレードモジュールアセンブリと、
前記スクレーパブレードモジュールアセンブリを保持する保持手段とを備え、
前記スクレーパブレードモジュールアセンブリは、ベルトスクレーパの両側に配置されたコンベヤフレームとストリンガとともに組立てられ、
前記保持手段は、自動調節モードでの作動に適合していることを特徴とする改良されたベルトスクレーパ実装装置。
【請求項２】
請求項１に記載の改良されたベルトスクレーパ実装装置において、前記保持手段は、上側の動的なバネ調節機構及び下側の動的なバネ調節機構から構成されることを特徴とする改良されたベルトスクレーパ実装装置。
【請求項３】
請求項１又は請求項２に記載の改良されたベルトスクレーパ実装装置において、前記ベルトスクレーパは、ベルト幅３００ｍｍ乃至３２００ｍｍの範囲で作動し、かつ前記上側の動的なバネ調節機構及び下側の動的なバネ調節機構は、動的な自動調節スクレーパの実装用固定部を構成することを特徴とする改良されたベルトスクレーパ実装装置。
【請求項４】
請求項１〜３の何れか一項に記載の改良されたベルトスクレーパ実装装置において、前記上側の動的なバネ調節機構及び下側の動的なバネ調節機構は、長いスタッドを通すスクレーパ保持アームに動作的に連結されることに適合し、前記スクレーパブレードモジュールアセンブリは、前記スクレーパ保持アームに取り付けられ、前記スクレーパ保持アームは、ステップワッシャーを介して所定位置に保持されることを特徴とする改良されたベルトスクレーパ実装装置。
【請求項５】
請求項３又は請求項４に記載の改良されたベルトスクレーパ実装装置において、前記動的な自動調節スクレーパの実装用固定部は、一対のコイルバネを備え、前記下側のバネは、上側のバネより高いサスペンション安定性を有することを特徴とする改良されたベルトスクレーパ実装装置。
【請求項６】
請求項１又は請求項３に記載の改良されたベルトスクレーパ実装装置において、前記動的な自動調節スクレーパの実装用固定部は、断面が円形であるチューブ状のレーパブレードモジュールアセンブリを保持することに適合していることを特徴とする改良されたベルトスクレーパ実装装置。
【請求項７】
請求項１又は請求項３に記載の改良されたベルトスクレーパ実装装置において、前記動的な自動調節スクレーパの実装用固定部は、断面が正方形、長方形、三角形もしくは他の任意形状であるチューブ状のスクレーパブレードモジュールアセンブリを保持することに適合していることを特徴とする改良されたベルトスクレーパ実装装置。
【請求項８】
請求項３〜５の何れか一項に記載の改良されたベルトスクレーパ実装装置において、一つのコイルバネは、前記スクレーパ保持アームの上に配置され、もう一つのコイルバネは前記スクレーパ保持アームの下に配置され、ワッシャー及びナットを設けることにより所定位置に保持されることを特徴とする改良されたベルトスクレーパ実装装置。
【請求項９】
請求項８に記載の改良されたベルトスクレーパ実装装置において、前記ナットのアレンジメントは、ベルトの速度及び精密な清掃に対して、安定性を確保するため、いずれの方向に３０ｍｍ圧縮されたことに適合しているショルダーナットを含むことを特徴とする改良されたベルトスクレーパ実装装置。
【請求項１０】
コンベヤフレーム及びストリンガを備えたベルトコンベヤに、ベルトスクレーパ実装装置を取付けるベルトスクレーパ実装装置の実装方法であって、ベルトスクレーパ実装装置は、本明細書に記載されたように、スクレーパブレードモジュールアセンブリと、前記スクレーパブレードモジュールアセンブリを保持する保持手段とを備え、前記保持手段は、ベルトスクレーパの両側に配置されたコンベヤフレームとストリンガとともに組立てられ、前記保持手段は、自動調節モードでの作動に適合していることを特徴とする改良されたベルトスクレーパ実装装置の実装方法。
【発明の詳細な説明】
【技術分野】
【０００１】
本発明は、全体として、バルク材料を搬送するベルトコンベヤに使用されたベルトスクレーパに関する。特に、本発明は、清掃効率を向上させ、取付けが容易であり、自動調節機構を有し、長期間のメンテナンスを不要とし、作業及び清掃コストを低く抑えることができる改良されたベルトスクレーパ実装装置に関する。
【背景技術】
【０００２】
バルク材料を搬送するベルトコンベヤでは、ベルトスクレーパを使用することで、材料の持ち帰りを防ぎ、余水を低減させ、ベルトの清浄な状態を維持する。ベルトを清掃することで、スナブプーリ及びリタンローラに材料が堆積されることを防ぎ、ベルトの寿命を増加させることができる。それによって、清掃コスト、ダウンタイムコスト、ベルトミストラッキングを低減させることができる。
【０００３】
最初に開発されたカウンタウエイトベルトスクレーパでは、シングルブレードの設計は、リタンベルト及びブレードをベルトに接触させるための回転軸を有するベルトスクレーパの両側に提供されたカウンタウエイトの下に配置され、薄ラバーストリップ（ベルト幅より広い）から構成される。ベルトに加えられた初期負荷は約８０〜９０Ｋｇｓである。時間とともに清掃効率が低減する時、負荷も増加し、１５０Ｋｇｓまでに増加する。
【０００４】
清掃効率は約６０〜６８％であり、かつブレードの経年劣化に対して、通常は、定期的にカウンタウエイトへの荷重を増加させる必要がある。これは非常に非効率であり、ハイメンテナスが必要となる。
【０００５】
次に開発された固定型のベルトスクレーパの分割型のブレードモジュールは、超硬合金スティールから作られた。分割型のブレードモジュールは、ラパークッションを備え、ラパークッションは、両端に固定型の取付け部を有するスティールチューブに取り付けられたブレードの底に設けられる。これは、ブレードの経年劣化に対して、自動調節ができない。更に、これらは、ベルトに約100〜125 Kgsの一貫性のない接触圧力を与える。
【０００６】
清掃効率は約７０〜８５％であり、かつブレードの経年劣化に対して、通常は、定期的に固定型の取付け部を上昇させる必要がある。これは非常に非効率であり、ハイメンテナスが必要となる。
【０００７】
三代目として開発された空気圧で調節可能なベルトスクレーパの分割型のブレードモジュールは、超硬合金スティールから作られた。分割型のブレードモジュールは、ポリマークッションを備え、ポリマークッションは、ラチェットとピニオンマウントを備えたスティールチューブに取り付けられたブレードの底に設けられてもよいし、設けられなくてもよい。これらの調節は、空気圧７〜１０ｂａｒｓの圧縮空気を介して、完成させられる。更に、これらは、ベルトに約９０〜１１０Ｋｇｓの一貫性のない接触圧力を与える。
【０００８】
清掃効率は約７５〜８５％である。空気圧の減少もしくは漏れもしくは空気の滞りなど何らかの理由で、ブレードとベルトとを接触させることを定期的に維持するため、空気をパンプする必要がある。従って、メンテナスの要求が高い。
【０００９】
四代目として開発されたベルトスクレーパは、半自動化のショックアブソーバーを有する。ショックアブソーバーは、一定程度に調節できるが、３〜４週間間隔で、ブレード経年劣化に対して、定期的に手動調節の必要がある。このタイプのベルトスクレーパは、分割型の金属製のブレードモジュールを備える。ブレードモジュールは、ラパーショックアブソーバーの両端に設けられたスティールチューブに取り付けられたスクレーパエッジの下に配置される回転軸を有する。ベルトに対して、約２４〜８０Ｋｇｓのような相当少ない応力を与える。
【００１０】
清掃効率は約９２〜９５％である。高荷重、ハイスピード、振動及び双方向性のベルト作動に対して、ベルトにより低い一貫性の圧力を与える。
従って、広幅のベルトコンベヤシステムによるベルトの容量（圧力能力）の増加、ベルトスピードの増加及びベルトの高荷重などの要求に応えるため、バルク材料のコンベヤ搬送システムの技術分野において、メンテナンスフリー、長く維持可能であり、自動調節機能を備えるスクレープ実装装置を設計することは、長年の要望である。
【００１１】
本発明は上記のような長年の要望を満たしている。
請求項を含む発明の特定事項の全体にわたって、“コンベヤベルト”、“スクレーパブレード”、“スクレーパ保持アーム”、“バネ”、“ワッシャー”、“スタッド”及び“ナット”などの語句は、一番広い意味でそれぞれ解釈する。上記語句は、本技術分野の当業者によって、本技術分野における他の周知用語により、明らかである全ての類似要素を含む。例えば、特定事項に対する減縮もしくは限定は、本発明を理解することのみを目的として実施例として記載する。
【発明の概要】
【発明が解決しようとする課題】
【００１２】
本発明の主な目的は、広幅のベルトコンベヤシステムによるベルトの容量（圧力能力）の増加、ベルトスピードの増加及びベルトの高荷重などの要求に応えるため、バルク材料のコンベヤ搬送システムの技術分野において、メンテナンスフリー、清掃効率が長く維持可能であり、自動調節機能を備えるスクレープ実装装置を提供することにある。
【００１３】
本発明の他の目的は従来のベルトスクレーパと比較して、ベルトのより高い清掃効率を有する改良されたベルトスクレーパ実装装置を提供することにある。
本発明の更に他の目的は、簡単で、柔軟性のある組立を提供できる改良されたベルトスクレーパ実装装置を提供することにある。
【００１４】
本発明の更に他の目的は、自動調節メカニズムを提供するとともに、ベルトとの接触を維持するための負荷変動の要求を補償できる改良されたベルトスクレーパ実装装置を提供することにある。
【００１５】
本発明の更に他の目的は、長期間に亘って完全にメンテナンス不要な改良されたベルトスクレーパ実装装置を提供することにある。
本発明の他の目的は、作業及び清掃コストの低減が実現できる改良されたベルトスクレーパ実装装置を提供することにある。
【００１６】
本発明の他の目的は、ベルトの精密な清掃を確保することができる改良された改良されたベルトスクレーパ実装装置を提供することにある。
本発明の更に他の目的は、スクレーパアセンブリのたるみを永久に、完全に消滅し、かつベルトの精密な清掃を確保することができる改良されたベルトスクレーパ実装装置を提供することにある。
【００１７】
本発明の他の目的はブレードの経年劣化に対して、スクレーパ自動調節装置を備え、かつ、ベルトを向いて上方へスクレーパの実装用固定部を手動的に上昇させることを廃止することでブレードの経年劣化を補償することができるバルク材料のコンベヤ搬送システムに使用される改良されたベルトスクレーパを提供することにある。
【００１８】
上記目的の実現方法及び本発明の他の態様は、下記の記載より明らかになる。下記の記載は、単に理解のためのものであり、これに限定されるものではない。
【課題を解決するための手段】
【００１９】
本発明は、以下の構成を備えた改良されたベルトスクレーパ実装装置を提供する。即ち、ベルトスクレーパ実装装置は、コンベヤフレーム及びストリンガを備えたベルトコンベヤを取り付けるためのものであり、スクレーパブレードモジュールアセンブリと、前記スクレーパブレードモジュールアセンブリを保持する保持手段とを備える。前記スクレーパブレードモジュールは、前記ベルトスクレーパの両側に配置されたコンベヤフレームとストリンガとともに組み立てられる。前記保持手段は、自動調節モードでの作動に適合している。
【００２０】
本発明に係わるベルトスクレーパ実装装置の好適な実施例において、
前記保持手段は、上側の動的なバネ調節機構及び下側の動的なバネ調節機構から構成される。
【００２１】
前記ベルトスクレーパは、ベルト幅３００ｍｍ乃至３２００ｍｍの範囲で作動し、かつ前記上側の動的なバネ調節機構及び下側の動的なバネ調節機構は、動的な自動調節スクレーパ実装用固定部を構成する。
【００２２】
前記上側の動的なバネ調節機構及び下側の動的なバネ調節機構は、長いスタッドを通すスクレーパ保持アームに動作的に連結されることに適合し、前記スクレーパブレードモジュールアセンブリは、前記スクレーパ保持アームに取り付けられ、前記スクレーパ保持アームは、ステップワッシャーを介して所定位置に保持される。
【００２３】
前記自動調節スクレーパ実装用固定部は、一対のコイルバネを備え、前記下側のバネは、上側のバネより高いサスペンション安定性を有する。
前記動的な自動調節スクレーパ実装用固定部は、断面が円形であるチューブ状のスクレーパブレードモジュールアセンブリを保持することに適合している。
【００２４】
前記動的な自動調節スクレーパ実装用固定部は、断面が正方形、長方形、三角形もしくは他の任意形状であるチューブ状のスクレーパブレードモジュールアセンブリを保持することに適合している。
【００２５】
一方のコイルバネは、前記スクレーパ保持アームの上に配置され、他方のコイルバネは、前記スクレーパ保持アームの下に配置され、ワッシャー及びナットを設けることにより所定位置に保持される。
【００２６】
前記ナットのアレンジメントは、ベルトの速度及び精密な清掃における安定性を確保するため、いずれの方向に３０ｍｍ圧縮されたことに適合しているショルダーナットを含む。
【００２７】
本発明も、コンベヤフレーム及びストリンガを備えたバルク材料を搬送するベルトコンベヤに、以下の構成を備えたベルトスクレーパの実装方法を提供する。ベルトスクレーパは、本明細書に記載されたように、スクレーパブレードモジュールアセンブリと、前記ブレードモジュールアセンブリを保持する保持手段とを備え、前記ブレードモジュールは、前記ベルトスクレーパの両側に配置されたコンベヤフレームとストリンガとともに組み立てられ、前記保持手段は、自動調節モードでの作動に適合している。
【図面の簡単な説明】
【００２８】
【図１】本発明に係わる好適な実施例による改良されたベルトスクレーパ実装装置を示す斜視図。
【図２】本発明に係わる好適な実施例による改良されたベルトスクレーパ実装装置を示す詳細な断面図。
【図３】断面が円形であるチューブ状のスクレーパブレードモジュールアセンブリを保持する保持部分を示す詳細な断面図。
【図４】断面が正方形であるチューブ状のスクレーパブレードモジュールアセンブリを保持する保持部分を示す詳細な断面図。
【図５】本発明による改良されたベルトスクレーパ実装装置を清掃するベルトの精密な清掃方法を示す拡大図。
【図６】本技術分野における周知なベルトスクレーパアセンブリのたるみ状態を示す動作図。
【図７】本発明による改良されたベルトスクレーパ実装装置により得られた効率曲線を示す線図。
【発明を実施するための形態】
【００２９】
以下は、本発明に係わる好適な実施例について説明する。下記の記載は、単に本発明の実施例を理解するためのものであり、これに限定されるものではない。
上述のとおり、本発明の主な目的は、広幅のベルトコンベヤシステムによるベルトの容量（圧力能力）の増加、ベルトスピードの増加及びベルトの高荷重などの要求に応えるため、バルク材料のコンベヤ搬送システムの技術分野において、メンテナンスフリー、清掃効率が長く維持可能であり、自動調節機能を備えるスクレープ実装装置を提供することにある。
【００３０】
ベルトスクレーパは、全体として、下記二つ異なる重要な部品から構成される。
(ａ）スクレーパブレードモジュールアセンブリ。
(ｂ）スクレーパ実装用固定部。
【００３１】
スクレーパブレードモジュールアセンブリは、ナットおよびボルトを介してスティールチューブに取り付けられ、かつベルトの下に配置されることで、ベルト表面に接触し、ベルトを清掃する。
【００３２】
スクレーパ実装用固定部は、ベルトに対して、チューブの両側に配置されたナット及びボルトを介して、コンベヤストリガフレームへスクレーパブレードモジュールアセンブリを保持する。従って、ブレードの経年劣化に対して、スクレーパ自動調節装置を有さないため、ベルトを向いて上方へスクレーパの実装用固定部を手動的に上昇させることでブレードの経年劣化を補償する。
【００３３】
本発明では、現存のスクレーパ固定実装装置は、動的自動調節実装装置に取り替えられる。この技術特徴は、本発明にとって不可欠なものである。
図１は、本発明に係わる好適な実施例による改良されたベルトスクレーパの斜視図を示す。図1には、コンベヤベルトと接触するスクレーパブレードモジュールアセンブリを備えたベルトスクレーパアセンブリが提供される。図１に示されるように、スクレーパ保持アーム（４）は、スクレーパブレードモジュール（３）を備える。スクレーパ保持アーム（４）は、その上方に配置された上側の動的な高荷重バネ調節機構及びその下方に配置された下側の動的な高荷重バネ調節機構により、所定位置に保持される。
【００３４】
バルク材料のコンベヤ搬送システムの技術分野において、メンテナンスフリー、長く維持可能であり、ベルトスクレーパの自動調節機能などの市場需要の増加及び広幅のベルトコンベヤシステムによるベルトの容量（圧力能力）の増加、ベルトスピードの増加及びベルトの荷重増加に応えるため、本発明は、メンテナンスフリー、自動調節可能であり、長時間が持続した振動の対応可能であり、幅３００〜３２００ｍｍのベルトのためのベルトスクレーパサスペンションを提供する。
【００３５】
本発明に係わる改良されたベルトスクレーパの自動調節実装装置は、主に以下の構成を含む。
(１）上側の動的な高荷重バネ調節機構。
(２）下側の動的な高荷重バネ調節機構。
(３）以下に記述するようなステップワッシャー（５），スタット（６）及びその他。
【００３６】
図２は、本発明に係わる好適な実施例による改良されたベルトスクレーパ実装装置の異なる部品を示したベルトスクレーパ実装装置のより詳細な断面図を示す。図２に示されるように、バネ（１，２）は、バネの両側に配置された一対の平ワッシャー（５，５’）により、所定位置に保持され、かつロックナット（７，７’）のアレンジメントを用いて締められる。スクレーパ保持アームは、ステップワッシャー（８）により、所定位置に保持される。バネ（１，２）は、スタッド（６）を用いて、コンベヤフレームに取り付けられる。
【００３７】
図３は、断面が円形であるチューブ状のスクレーパブレードアセンブリを示す。図４は断面が正方形である図３と同様なものを示す。本発明によるベルトスクレーパ実装装置の動的な自動調節スクレーパの実装用固定部は、断面が正方形、長方形、三角形もしくは他の任意形状であるチューブ状のスクレーパブレードモジュールアセンブリを保持することに適合していることと考えられる。
【００３８】
本発明では、改良されたベルトスクレーパは、コンベヤフレーム／ストリンガを用いて、現存のブレードモジュールアセンブリを保持する。スクレーパブレードモジュールが経年劣化した後でも、サスペンション状態もしくはフローティング状態でベルト表面と接触する時、動的なバネアセンブリ（１，２）は、長いスタッドを通してスクレーパ保持アーム（４）が挿入されるように形成されることで、現存のスクレーパブレードモジュールアセンブリを高度な連続清掃効率を達成するよう押し上げる。従って、本発明は、長期間に亘っても、どの手動調節もしくは手動作業も必要がなく、防振性の高精度なベルト清掃を提供することができる。
【００３９】
本発明による前記改良されたベルトスクレーパに係わる設計計算は、以下のように表される。設計計算は、いくつの仮定のパラメータを有する。
幅１０００ｍｍのベルトスクレーパについての負荷計算
（材料規格：ＥＮ４５）
応力（Ｆ）＝スクレーパアセンブリの自重による荷重＋ベルト速度による荷重＋ブレードより加えられた圧力による荷重＋上側のバネによる荷重
Ｆ＝（Ｆｌ＋Ｆ２＋Ｆ３＋Ｆ４）
Ｆｌ＝（４５−２ｘ６．１）ｘ９．８１＝３２２Ｎ
Ｆ２＝（モーターから伝達されたパワー／ベルトの速度）Ｃｏｓ６０ｘＣｏｓ３０
Ｆ３＝８ｘ５ｘ９．８１＝３９３Ｎ
Ｆ４＝最大荷重１８００Ｎ（設計上の考慮）
従って、Ｆ＝（３２２＋Ｆ２＋３９３＋１８００）＝（２５１５＋Ｆ２）Ｎ
下側のバネについての計算：
仮に、Ｗ＝設計上、バネの最大負荷を５０００Ｎとして考えた場合（安全の目的）
バネの自由長さ＝１３０ｍｍ
全負荷時の長さ＝１００ｍｍ
バネの内径＝４５ｍｍ
剪断応力＝８ｘＦｘＤ／３．１４ｄ＾３［許容剪断応力＝４５０Ｎ／ｍｍ＾２］
ｄ＝１０．７４ｍｍ
バネ指数（Ｃ）＝５．１８
ワール（Ｗａｈｌ）の応力修正係数（Ｋ）＝（４Ｃ−１）／（４Ｃ−４）＋０．６１５／Ｃ＝１．２９
従って、修正されたバネの直径
剪断応力＝Ｋｘ８ｘＷｘＤ／３．１４ｄ＾３
ｄ＝１２ｍｍ
全たわみ＝８ｘＷｘＣ＾３ｘＮ／Ｇｘｄ［Ｇ＝剛性率＝８４ＧＰａ，Ｎ＝７］＝３０ｍｍ
バネ常数＝５０００／３０＝１６７Ｎ／ｍｍ
上側のバネについての計算：
仮に、Ｗ＝設計上、バネの最大負荷を２７００Ｎとして考えた場合（安全の目的）
バネの自由長さ＝８０ｍｍ
全負荷時の長さ＝５０ｍｍ
バネの内径＝４５ｍｍ
剪断応力＝８ｘＦｘＤ／３．１４ｄ＾３［許容剪断応力＝４５０Ｎ／ｍｍ＾２］
ｄ＝８．７５ｍｍ
バネ指数（Ｃ）＝６．１４
ワール（Ｗａｈｌ）の応力修正係数（Ｋ）＝（４Ｃ−１）／（４Ｃ−４）＋０．６１５／Ｃ＝１．２４６
従って、修正されたバネの直径
剪断応力＝Ｋｘ８ｘＷｘＤ／３．１４ｄ＾３
ｄ＝１０ｍｍ
全たわみ＝８ｘＷｘＣ＾３ｘＮ／Ｇｘｄ［Ｇ＝剛性率＝８４ＧＰａ，Ｎ＝５］＝３０ｍｍ
バネ常数＝２．７００／３０＝９０Ｎ／ｍｍ
幅１０００ｍｍのベルトスクレーパのためのバネのサスペンション安定性：
上側のバネ（Ｍ）より加えられた下向きの応力＝９０ｘ２２＝１９８０Ｎ［上側のバネの圧縮量２２ｍｍ］
ベルトの速度の原因でベルトコンベヤにより加えられた下向きの応力＝（１０ｘｌ０＾３／３）Ｃｏｓ６０ｘＣｏｓ３０［モーター＝１０Ｋｗ，バイトスピード＝３ｍ／ｓｅｃ］
一側のバネの応力バランスを考慮すると、上記応力は、全部応力の半分になる。
【００４０】
従って、ベルトの速度の原因でベルトコンベヤにより加えられた下向きの応力（Ｎ）＝１４４５／２＝７２２Ｎ［スクレーパの自重の半分による負荷Ｗｔ＝５０／２＝２５Ｋｇ／(幅１０００ｍｍのベルトスクレーパ)］
上側のバネによる全部下向きの応力（Ｐ）＝（Ｍ＋Ｎ＋Ｏ）＝（１９８０＋７２．２＋２５０）＝２９５２Ｎ
下側のバネより加えられた上向きの応力（Ｑ）＝１６７ｘ１４＝２３３８Ｎ＋スクレーパのサスペンションによる荷重［Ｗｔ＝１２５Ｋｇ／(幅１０００ｍｍのベルトスクレーパ)及び下側のバネの圧縮量：１４ｍｍ］＝２３３８＋１２５０＝３５８８Ｎ
下側のバネによる全部上向きの応力（Ｑ）＝３５８８Ｎ
下側バネのサスペンション安定性＝Ｒ＝（Ｑ−Ｐ）＝（３５８８−２９５２）＝６３６Ｎ
従って、上側のバネに対する下側バネのサスペンション安定性＝（Ｑ−Ｐ）／Ｐｘ１００％＝２１．５４％
改良されたベルトスクレーパにより得られた非限定の作用効果は以下の通りである。
【００４１】
１．実装作業が容易で、柔軟性がある。
２．自動調節が可能であり、長期間のメンテナンスを不要とする（最短１２−１６週間）。
【００４２】
３．精密なベルト清掃が確保できる（厚さ０．０５−０．１ｍｍまでの持ち帰りの材料の薄層を清掃できる）。
４．長期間に亘って清掃効率が高い（最短１２−１６週間）。
【００４３】
５．作業及び清掃コストが低減できる。
６．ブレード劣化に対して、自動調節の登場により、ブレードの経年劣化を補償するため、ベルトを向いて上方へスクレーパの実装用固定部を手動的に上昇させることが廃止できる。
【００４４】
改良されたベルトスクレーパ実装装置は便利で、ナットもしくはボルトを外さなくても、現存の固定型の実装アセンブリを交換できる様々な種類のベルトスクレーパに適用している。又、図３及び４のそれぞれに示されたように、チューブ状のスクレーパブレードモジュールアセンブリの保持装置の断面については、選択可能なオプションとして、円形、正方形、長方形、三角形もしくは他の任意形状である。
【００４５】
自動調節：
上述のように、改良されたベルトスクレーパは、二つの動的なコイルバネアセンブリ（１，２）を備え、各バネは、それぞれにスクレーパ保持アームの上及び下に配置され、調節可能なショルダーナット（７，７’）を備える。各バネは、何れかの方向において、最大３０ｍｍまでに圧縮されることができる。更に、各バネは、ベルトの速度もしくは精密なベルト清掃に対して、スクレーパ保持アームに安定性を確保する（図１及び図２を参考）。
【００４６】
下側のバネは、上側のバネより約２０％のサスペンション高安定性を有するため、ブレードモジュールが経年劣化した後でも、スクレーパブレードモジュール（３）は、ベルト表面（１０）と自動的に接触することが常に維持できる。従って、長期間に亘ってもメンテナンスが不要となる。
【００４７】
精密な／高効率なベルト清掃：
改良されたベルトスクレーパは、更に高度な精密な清掃効率を達成するまでベルト表面を清掃し、ベルト表面から本来の微細物質及び水分を除去する。又、改良されたベルトスクレーパは、動的なバネアセンブリ設計により現存のスクレーパアセンブリのたるみを防ぐことができる。従って、図７に示されたように、清掃効率が９９．５％のレベルに増加されることができる。
【００４８】
図５は、本発明に係わる改良されたベルトスクレーパ実装装置により精密なベルト清掃が行われている状態を示す。図５は、高耐磨耗性の先端部を備えたベルトスクレーパブレードモジュールアセンブリを示す。ベルトの方向に対して、ベルト表面と一定の角度をなし、摩擦を最小限にするように接触するため、先端部には、約１ｍｍの支持ベースが蝋つけられる。それは、効率的にベルト表面の輪郭から、固有の持ち帰りの物質及び水分を除去することが確保できる。本発明に係わる改良されたベルトスクレーパを用いて、ブレードモジュールの先端部は、長期間に亘って所定位置に保持されるため、実質的に長期間に亘って、滞りない性能を確保することができる。
【００４９】
図６は、現存のベルトスクレーパアセンブリのたるみ状態を示す。実線は、初期の実装後の２−３週間後に、現存のベルトスクレーパアセンブリが、約３°微小に撓んだ状態を表している。動的なバネ実装アセンブリを用いることで、ベルトスクレーパアセンブリのたわみが防ぐことができ、ベルトスクレーパアセンブリは、ベルト表面との緊密な接触が、常に維持されることができる。符号（９）は、実装後の初期状態のスクレーパのエッジ部を示す。符号（１０）は、ベルトの作動方向を示す。
【００５０】
本発明に係わるベルトスクレーパ実装装置の動的な自動調節クレーパ実装用固定部は、断面が正方形、長方形、三角形もしくは他の任意形状であるチューブ状のスクレーパブレードモジュールアセンブリを保持することに適合している。
【００５１】
作業及び清掃コストの低減：
改良されたベルトスクレーパでは、清掃効率が１４．５％までに増加するとともに、現存のベルトスクレーパアセンブリのたるみを防ぐことができる。従って、生産効率が増加するとともに、人的資源及びメンテナンスコストを低減することができる。図７は、本発明に係わる改良されたベルトスクレーパにより、試行中に得られた効率曲線を示す。これによって、使用後の１８週間後でも、効率は９８％であることと予測できる。これに対して、従来品である二代目もしくは三代目のスクレーパを用いて作動してから２週間後、初期状態の効率８５％と比較して、清掃効率が、７５％まで落ちる。同じく従来品である第四代目のスクレーパを用いた場合、４週間後、清掃効率が、初期状態の効率９５％から９２％まで落ちる。
【００５２】
９８〜９９．５％の精密なベルト清掃効率のようなベルト高度な清掃効率を得るため、全てのブレードモジュールアセンブリは、直接に本発明に係わる改良されたベルトスクレーパのバージョンに取り付けられる。そのため、長期間に亘ってもメンテナスが不要と伴い、持ち帰りが低減し、人的資源が低減し、時間が低減し、生産効率が高まり、コストが低減することができる。
【００５３】
本発明は、いくつの図面及び好適な実施例を参照して記載されるが、これは、単に理解のためのものであり、これに限定されるものではない。本発明については、本明細書に記載された範囲及び請求範囲を超えない限りでは、全ての適法の改良が認められる。
【図１】
2015506321.tif 000003
【図２】
2015506321.tif 000004
【図３】
2015506321.tif 000005
【図４】
2015506321.tif 000006
【図５】
2015506321.tif 000007
【図６】
2015506321.tif 000008
【図７】
2015506321.tif 000009
【国際調査報告】
2015506321.tif 000010
2015506321.tif 000011
2015506321.tif 000012